(57)【特許請求の範囲】
【請求項１】
上部面が着座面を構成する座板と、該座板を支持する座板支持部と、を有する椅子において、
前記座板は、その下部面に、前後方向に彎曲した凸状の彎曲凸部を有し、且つ前記座板支持部上で前後に揺動可能であり、
前記彎曲凸部における彎曲面の前後方向の断面線は、該彎曲凸部の前端側から該彎曲凸部のほぼ中央にある頂点位置のやや後方まで所定曲率で彎曲する彎曲線部と、該彎曲線部の後端位置からさらに後端側まで伸長するほぼ直線状の平坦線部と、からなることを特徴とする椅子。
【請求項２】
上部面が着座面を構成する座板と、該座板を支持する座板支持部と、を有する椅子において、
前記座板は、その下部面に、前後方向に彎曲した凸状の彎曲凸部を有し、且つ前記座板支持部上で前後に揺動可能であり、
前記座板支持部は、
前後方向に伸長する彎曲凹部として形成されており、
該彎曲凹部が、小さい曲率を有する中央領域と、該中央領域の前後方向端部側で該中央領域よりも曲率を大きくした立上がり領域と、を有することを特徴とする椅子。
【請求項３】
前記座板支持部における後端側の立上がり領域が、２１０〜２９０ｍｍの曲率半径を有する彎曲形状部として構成されたことを特徴とする請求項２に記載の椅子。
【請求項４】
前記座板支持部が、前記座板の幅方向両端部において前後方向にそれぞれ伸長する、所定幅を有する２本の板材の上面に設けられていることを特徴とする請求項１〜３の何れか１項に記載の椅子。
【請求項５】
前記彎曲凸部の彎曲面及び／又は前記座板支持部に、摩擦軽減手段が施されていることを特徴とする請求項１〜４の何れか１項に記載の椅子。
【発明の詳細な説明】
【技術分野】
【０００１】
本発明は、椅子に関し、特に、長時間の使用が求められる椅子に関する。
【背景技術】
【０００２】
近年、長時間椅子に座ったままの姿勢でデスクワークを行うことにより、腰痛を訴える人が増加している。これはオフィス環境に限られることではなく、昨今のパーソナルコンピュータの導入が進んでいる家庭環境においても同様である。すなわち、長時間椅子に座ったままの姿勢に起因する腰痛は、職場環境及び家庭環境の双方において問題となってきている。
【０００３】
図７は、平坦な座板を有する脚部付きの椅子に、成人男性が腰掛けた状態を示している。このような椅子に着座する場合の座位姿勢は、同図（ａ）に示すように、背すじを伸ばして上体を起こし、腰椎７２の前彎を維持する座位姿勢となるか、あるいは同図（ｂ）に示すように、やや背中を丸めた、腰椎７２が後彎した座位姿勢となる。
【０００４】
前者のように、腰椎７２が前彎した座位姿勢は、椎間板７４が椎骨７６の前後方向略中央位置にくるので椎間板７４にかかる負荷は小さくなるものの、腸腰筋群７８や傍脊柱起立筋群８０を働かせる必要があり、姿勢保持に関わる筋群の負担が大きい傾向がある。また、後者のように、腰椎７２が後彎する座位姿勢は、上記傍脊柱起立筋群８０等の腹部や腰背部の筋活動は小さいものの、この後彎によって狭められた前側の椎骨７６間に椎間板７４の前部が圧迫されるため、椎間板７４にかかる負荷が大きな姿勢となる。
【０００５】
前者は、例えば、パーソナルコンピュータ等の作業に集中する際にとられる座位姿勢であり、後者は、例えば、その作業を一休みする際に、又は重力の影響や臀部筋群８２、ハムストリングス８４の伸長により骨盤８６が後方に回転した際に自然にとられる座位姿勢である。
【０００６】
しかし、何れの姿勢を取る場合であっても、長時間の同一姿勢は（ｉ）椎間板の可動性やクッション性を低下させるとともに筋疲労や血液循環の阻害を引き起こす要因となる。（ｉｉ）また、長時間の同一姿勢などが原因で腸腰筋群や傍脊柱起立筋群の柔軟性の低下や短縮が起こると、腰椎が過剰に前彎し常に筋肉が緊張した状態となる。それに伴い、椎間板や椎間関節にかかる負荷が増大し、椎間板ヘルニアや椎間関節症を発症するおそれもある。
【０００７】
そこで、座位姿勢における長時間の同一姿勢を未然に回避するための椅子が提案されている。特許文献１（特表平７−５０３３９２）には、その図３に示される通り、凸状の彎曲面を有するシートシェル１４を、上方へ向かって凹面状であるヘッド部４０に当接させた状態で、シート部３をヘッド部４０上に載置した椅子が開示されている。
【０００８】
特許文献１に記載のこの構成によると、シート部３は、ヘッド部４０内に設けられたボール４１を介してヘッド部４０上を前後左右に滑り移動可能となり、シート部３の座面の傾斜角度が着座者の上体の動きに対応して縦横斜め方向へと自由に変化する。すなわち、着座者はこの椅子にいわば動的に座り続けることとなり、同一の座位姿勢を長時間続けることが回避される。
【先行技術文献】
【特許文献】
【０００９】
【特許文献１】特表平７−５０３３９２号公報
【発明の概要】
【発明が解決しようとする課題】
【００１０】
しかし、特許文献１の椅子によると、同一の座位姿勢を長時間続けることが回避されるものの、シート部３がヘッド部４０に対して前後左右に滑り移動するために座位姿勢における安定性が悪くなる。よって、例えば、デスクワーク等のためにこの椅子に腰掛けた場合、常時不安定である座位姿勢を安定させるために筋肉の負担が増え、長時間座り続けることが逆に困難となる。特に、筋力の低下した腰痛者には長時間の使用は困難である。
【００１１】
本発明は、上記課題に鑑みてなされたものであり、その目的は、座位姿勢による長時間の同一姿勢を自然に解消することができ、且つ長時間座り続けることが苦にならない椅子を提供することにある。
【課題を解決するための手段】
【００１２】
上記課題を解決するための請求項１に記載の発明は、上部面が着座面を構成する座板と、該座板を支持する座板支持部と、を有する椅子において、前記座板は、その下部面に、前後方向に彎曲した凸状の彎曲凸部を有し、且つ前記座板支持部上で前後に揺動可能であり、前記彎曲凸部における彎曲面の前後方向の断面線は、該彎曲凸部の前端側から該彎曲凸部のほぼ中央にある頂点位置のやや後方まで所定曲率で彎曲する彎曲線部と、該彎曲線部の後端位置からさらに後端側まで伸長するほぼ直線状の平坦線部と、からなることを特徴とする。
【００１３】
この構成によれば、着座する前の座板は、座板支持部上で前後に揺動可能に支持されている。
【００１４】
そして、この椅子に使用者が着座し、上体を前傾させ、又は背すじを伸ばした場合には、座板の前側に荷重がかかり、座板は彎曲凸部の前側部分が座板支持部に接するように前方に揺動して前傾し、自然に腰椎が前彎する座位姿勢となる。
【００１５】
また、この座位姿勢から、着座者の姿勢変化によって座板の後側に荷重がかかった場合には、座板は彎曲凸部の後側部分が座板支持部に接するように後方に揺動して後傾し、自然に腰椎が後彎する座位姿勢となる。
【００１６】
このように、着座者の上体の姿勢変化により、座板が前後方向に揺動してスムーズに前傾又は後傾するので、姿勢変化に伴う筋肉への負荷が最小限度に抑えられつつ、自然な座位姿勢の変化がもたらされ、長時間の同一の座位姿勢が解消される。さらに、彎曲凸部における彎曲面のうち、彎曲凸部の前端側から頂点位置を含んで所定曲率の彎曲線部として表される部分の後方が、彎曲凸部の後端側まで伸長するほぼ直線状の平坦線部（すなわち、ほぼ平坦な面となる）として表わされるので、上述のように座板が前傾又は後傾して自然な座位姿勢の変化がもたらされる効果に加えて、以下の効果が得られる。すなわち、座板の後側に過剰に荷重がかかった場合であっても、断面線がほぼ直線状の平坦線部として表わされる部分の彎曲面（すなわち、ほぼ平坦の面）と座板支持部が当接して座板のさらに後方への揺動が係止され、上記彎曲面（ほぼ平坦の面）の範囲を越えた座板の過剰な後傾が制止される。よって、背凭れが無い椅子の場合は、座板の過剰な後傾により着座者が後側へ倒れるおそれが低く、背凭れがある椅子の場合は、座板が過剰に後傾することによる窮屈な座位姿勢が回避されるという、着座者の後方への大きな姿勢変化による不具合が解消される。
【００１７】
請求項２に記載の発明は、上部面が着座面を構成する座板と、該座板を支持する座板支持部と、を有する椅子において、前記座板は、その下部面に、前後方向に彎曲した凸状の彎曲凸部を有し、且つ前記座板支持部上で前後に揺動可能であり、前記座板支持部は、前後方向に伸長する彎曲凹部として形成されており、該彎曲凹部が、小さい曲率を有する中央領域と、該中央領域の前後方向端部側で該中央領域よりも曲率を大きくした立上がり領域と、を有することを特徴とする。
【００１８】
この構成によれば、着座する前の座板は、座板支持部上で前後に揺動可能に支持されている。そして、この椅子に使用者が着座し、上体を前傾させ、又は背すじを伸ばした場合には、座板の前側に荷重がかかり、座板は彎曲凸部の前側部分が座板支持部に接するように前方に揺動して前傾し、自然に腰椎が前彎する座位姿勢となる。また、この座位姿勢から、着座者の姿勢変化によって座板の後側に荷重がかかった場合には、座板は彎曲凸部の後側部分が座板支持部に接するように後方に揺動して後傾し、自然に腰椎が後彎する座位姿勢となる。このように、着座者の上体の姿勢変化により、座板が前後方向に揺動してスムーズに前傾又は後傾するので、姿勢変化に伴う筋肉への負荷が最小限度に抑えられつつ、自然な座位姿勢の変化がもたらされ、長時間の同一の座位姿勢が解消される。そのうえ、座板は、自然に彎曲凹部（座板支持部）の中央領域に彎曲凸部を当接させて座板支持部上に載置されることとなる。そして、座板が前後方向へと揺動する場合、座板は揺動するに際して前後方向端部側で中央領域よりも曲率の大きな立上がり領域に乗り上げようとしつつ中央領域方向へと滑り移動する。すなわち、座板の揺動と滑り移動の組み合わせにより、彎曲凸部の彎曲面と座板支持部の当接部位においてあたかも膝関節のような摺り合せを生じつつ、スムーズな座板の前傾又は後傾動作がなされ、より自然に座位姿勢における長時間の同一姿勢が解消される。
【００２２】
同時に、このように前後方向端部側に設けられた立上がり領域によって、座板の、その揺動に伴う前後方向の過剰な移動による座板支持部からの逸脱も防止されている。
【００２３】
請求項３に記載の発明は、請求項２に記載の椅子において、前記座板支持部における後端側の立上がり領域が、２１０〜２９０ｍｍの曲率半径を有する彎曲形状部として構成されたことを特徴とする。
【００２４】
一般に、標準体型の日本人の骨盤の回転半径は約２３０ｍｍと言われており、小柄な人で約２１４ｍｍ、大柄な人で約２８６ｍｍである。よって、この構成によれば、座板支持部における後端側の立上がり領域が、日本人の骨盤の回転半径と同じか、若しくは近い曲率半径（２１０〜２９０ｍｍ）を有するので、座部後方において骨盤の自然な回転に追従した座板の揺動と滑り移動が得られる。よって、座位姿勢による長時間の同一姿勢がさらに自然に解消されることとなる。
【００２５】
請求項４に記載の発明は、請求項１〜３の何れか１項に記載の椅子において、前記座板支持部が、前記座板の幅方向両端部において前後方向にそれぞれ伸長する、所定幅を有する２本の板材の上面に設けられていることを特徴とする。
【００２６】
この構成によれば、座板が受けた着座者の荷重が、一方の板材における座板支持部と彎曲凸部の彎曲面の当接部位、及び他方の板材における座板支持部と彎曲凸部の彎曲面の当接部位により、いわば２点支持された状態となるので、摩擦抵抗がより少なくなり、且つ、その２箇所に荷重が集中する。したがって、座板における彎曲凸部の彎曲面が座板支持部に対してより滑り移動するようになり、上体の前後方向の移動及び姿勢変化に伴う腰椎の前彎−後彎運動がさらに促進され、さらに自然に座位姿勢における長時間の同一姿勢が解消される。
【００２７】
また、所定幅を有する２本の板材の上面を座板支持部とすることで、座板支持部を構成する材料の使用量が削減されており、椅子全体の構成の簡素化、軽量化を図ることができる。
【００２８】
請求項５に記載の発明は、請求項１〜４の何れか１項に記載の椅子において、前記彎曲凸部の彎曲面及び／又は前記座板支持部に、摩擦軽減手段が施されていることを特徴とする。
【００２９】
この構成によれば、彎曲凸部の彎曲面及び／又は前記座板支持部に施された摩擦軽減手段によってさらに彎曲凸部の彎曲面が座板支持部に対して滑り移動するようになる。よって、さらに座板の前傾又は後傾が促され、さらに自然に長時間の同一姿勢が解消される。
【発明の効果】
【００３０】
本発明によれば、着座者の上体の姿勢変化に伴って座板に伝達された荷重の移動により、座板がスムーズに前傾又は後傾するので、自然な座位姿勢の変化がもたらされ、長時間の同一の座位姿勢が解消され、長時間の同一の座位姿勢に起因する椎間板やクッション性の低下、筋群の柔軟性の低下等の弊害も解消されることが期待される。
【００３１】
さらに、座板が、上記腰椎の前彎姿勢と後彎姿勢をとるための必要最小限度の移動方向となる前後方向に揺動するので、姿勢変化に伴う筋肉への負荷も最小限度に抑えられており、長時間の使用も苦にならない椅子となっている。よって、職場環境のみならず、家庭環境における長時間のデスクワーク等に適する。
【図面の簡単な説明】
【００３２】
【図１】本発明の第１実施の形態に係る椅子１０の分解斜視図である。
【図２】図１のＩＩ−ＩＩ線断面図である。
【図３】板材２４（彎曲凸部）と彎曲凹部１２ｃ（座板支持部）の形状の詳細を説明するための図である。
【図４】本実施の形態に係る椅子１０の使用状態を説明するための図である。
【図５】本発明の第２実施の形態に係る椅子３０の分解斜視図である。
【図６】彎曲凸部と座板支持部の別の態様を示す図である。
【図７】従来の平坦な座板を有する椅子に、成人男性が腰掛けた状態を示す図である。
【発明を実施するための形態】
【００３３】
次に、本発明の実施の形態について図に基づいて詳細に説明する。
【００３４】
図１は本発明の第１実施の形態に係る椅子１０の分解斜視図であり、図２は、図１のＩＩ−ＩＩ線断面図であり、図３は、板材２４（彎曲凸部）と彎曲凹部１２ｃ（座板支持部）の形状の詳細を説明するための図であり、図４は、本実施の形態に係る椅子１０の使用状態を説明するための図である。
【００３５】
なお、矢印Ｆは、椅子１０の前方向（すなわち、本実施の形態に係る椅子１０に着座した者の正面方向）を示し、矢印Ｒは、椅子１０の後方向（すなわち、本実施の形態に係る椅子１０に着座した者の背面方向）を示している。
【００３６】
図１及び図２に示されるように、本実施の形態に係る椅子１０は、断面視略ロ字状の座枠１２と、この座枠１２の四隅に結合され、高さ方向に延在する４本の棒状の脚部１４（それぞれ、前脚１４、前脚１４、後脚１４及び後脚１４）と、後脚１４、１４の上端間に架け渡された背板１６と、前脚１４及び後脚１４間に、背板１６と座枠１２間のやや背板１６よりの位置においてそれぞれ架け渡された肘掛け１８と、を有する椅子本体２０の座枠１２上に、略矩形の座板２２が支持された基本構成を有する。
【００３７】
座枠１２は、前脚１４、１４間、及び後脚１４、１４間において左右方向にそれぞれ架け渡された枠板１２ａ、１２ａと、この枠板１２ａ、１２ａ間に前後方向に架け渡された枠板１２ｂ、１２ｂとにより構成されている。この枠板１２ｂと１２ｂは、互いに対向する領域の一部が上方に向かって凹となる凹部１２ｃを構成している。
【００３８】
座板２２は、上述の通り略矩形の形状を有し、上部面が着座面２２ａを構成し、その下部面には、幅方向それぞれの端部に、前後方向に延在する板材２４、２４がそれぞれ取り付けられている。板材２４、２４は、座板２２の下部面に取り付けられた状態で、前後方向に彎曲した凸状の彎曲凸部となる。
【００３９】
板材２４（彎曲凸部）における彎曲面は、図３に示されるように、その前後方向の断面線が、板材２４（彎曲凸部）の前端からその板材２４のほぼ中央にある頂点位置Ｐ０のやや後方までが後述する所定曲率で彎曲する彎曲線部２４ａと、彎曲線部２４ａの後端位置から板材２４の後端まで伸長する、ほぼ直線状の小さい曲率の平坦線部２４ｂと、からなることにより表わされる彎曲面である。
【００４０】
座板２２は、この板材２４、２４の彎曲線部２４ａ、２４ａで表わされる部分を、枠板１２ｂ、１２ｂにおける凹部１２ｃに当接させて、この凹部１２ｃ上に固定されることなく載置されることにより、凹部１２ｃに支持されている。すなわち、凹部１２ｃは、座板２２を支持する座板支持部である。
【００４１】
板材２４（彎曲凸部）の彎曲面と、枠板１２ｂの凹部１２ｃ（座板支持部）の形状についてさらに詳細に説明する。本実施の形態において、板材２４の当接面は、図３に示すように、その頂点位置Ｐ０を自然着座時の重心位置として、前側に頂点位置Ｐ０から前方に直線距離で約１０２ｍｍの位置にある彎曲線部２４ａ内の位置Ｐ１まで曲率半径約３９２ｍｍのＲ形状を有し、後側に重心位置Ｐ０から後方に直線距離で約５７ｍｍの位置にある彎曲線部２４ａ内の位置Ｐ２まで曲率半径約２２０ｍｍのＲ形状を有する。
【００４２】
このＲ形状と頂点位置Ｐ０からの（Ｐ１及びＰ２までの）直線距離は、座板２２が水平面から±１５°前傾又は後傾するために前後方向に揺動する必要な距離とそのために必要なＲ形状に設定されている（すなわち、重心位置は、Ｐ０から前方はＰ１まで、Ｐ０から後方はＰ２まで移動することが想定されている）。
【００４３】
したがって、そのような範囲でそのＲ形状及びＲ形状をとる範囲（本実施の形態においては、彎曲面内における頂点位置Ｐ０からの（Ｐ１及びＰ２までの）直線距離の範囲）が設定されるのであれば、彎曲線部２４ａ内においてどのようなＲ形状及びＲ形状をとる範囲が設計されても良い。
【００４４】
なお、座板２２の前傾１５°〜後傾１５°の傾斜は、着座者の身体の開き（座板２２と着座者の上体によりなす角として測定される）を９０°〜１２０°の間にすべく設定されている。
【００４５】
また、位置Ｐ１のさらに前方は、板材２４の前端まで曲率半径約４２５ｍｍの曲線となっている。これは、前方への急な重心移動が生じた際には重心位置がＰ１よりさらに前方にくる可能性があるので、座板２２をさらに前方へ５°揺動することを可能とすべく設定されたものである。
【００４６】
曲率半径約２２０ｍｍの範囲のさらに後方は、彎曲線部２４ａの後端部の接線方向に板材２４の後端まで延在する、曲率半径を非常に大きくしたほぼ直線状の平坦線部２４ｂ（曲率半径約３０５２ｍｍ）となっている。これは、本実施の形態のように、背板１６を有する椅子１０の場合は、座板２２の更なる後方への揺動は、背板１６との関係上、座板の後傾１５°を超える変化は座位姿勢が窮屈となるために好ましくないので、彎曲線部２４ａの後方の範囲は、上記大きなＲ形状を有し、且つ接線方向に延在するほぼ直線状の平坦線部としたものである。
【００４７】
なお、背板１６が無い椅子の場合、上記平坦線部２４ｂの構成により、座板２２の後傾１５°を超える傾斜が防止され、着座者の後方への転倒が抑制される。
【００４８】
次に、枠板１２ｂの凹部１２ｃの形状について説明する。凹部１２ｃは、曲率の小さい、前後方向に伸長するほぼ平坦な底面である中央領域と（この中央領域の曲率は、板材２４（彎曲凸部）における彎曲線部２４ａの曲率より小さい）、この中央領域の前後方向端部側で中央領域よりも曲率を大きくした立上がり領域と、を有する。したがって、凹部１２ｃは、前後方向に彎曲した凹状の彎曲凹部１２ｃとなっている（以下、凹部１２ｃは、彎曲凹部１２ｃと記す）。具体的には、後方の立上がり領域は、曲率半径２３０ｍｍのＲ形状を有する彎曲形状部となっている。
【００４９】
このＲ形状は、背板１６を支点としたときの骨盤の回転半径に合わせた形状を有し、標準体型の日本人にあわせて設計されたものである。なお、日本人の骨盤半径は、小柄な人で約２１４ｍｍ、大柄な人で約２８６ｍｍである。よって、後方の立上がり領域のＲ形状は、曲率半径２１０〜２９０ｍｍの間で設計されることが好ましい。このＲ形状によれば、座部後方において、彎曲凹部１２ｃにおける後方の彎曲形状部上で座板２２を後述するように揺動及び滑り移動させる場合に、骨盤の自然な回動に追従した座板２２の揺動及び滑り移動が得られる。
【００５０】
また、前方の立上がり領域は、曲率半径４００ｍｍのＲ形状を有する彎曲形状部となっている。前方の立上がり領域の形状は、座面が前方に移動しすぎないためのストッパーであるとともに、座板２２の前傾１５°の実現を邪魔しない程度に大きな立上がり領域の形状を有するのであれば、どのような立上がり領域の形状を有していても良い。また、彎曲凹部１２ｃは、上記ほぼ平坦な底面である中央領域に板材２４（彎曲凸部）の頂点位置Ｐ０が当接可能に構成されている。
【００５１】
次に、本実施の形態に係る椅子１０の使用状態について以下に説明する。図４（ａ）は、着座する者がこの椅子１０に自然に腰掛けた状態（自然着座時）を示している。この状態において、板材２４の頂点位置Ｐ０が彎曲凹部１２ｃの中央領域に当接している。この状態から、同図（ｂ）に示すように、パーソナルコンピュータ等の事務作業を行う場合に着座者が上体を矢印１００方向に前傾させると、座板２２の前側に荷重がかかり、したがって座板２２は彎曲線部２４ａの前側部分が彎曲凹部１２ｃ（座板支持部）に接するように前方に（矢印２００方向に）揺動して前傾し、自然に腰椎が前彎する座位姿勢となる。
【００５２】
また、同図（ｃ）に示すように、自然着座時から上体を矢印３００方向に後傾させ、背板１６に背中をあずけて腹部や腰背部の筋肉を休ませる場合には、上体の後傾及び骨盤ｐの後方回転によって座板２２の後側に荷重がかかる。したがって、座板２２は彎曲線部２４ａの後側部分が彎曲凹部１２ｃ（座板支持部）に接するように後方に（矢印４００方向に）揺動して後傾し、自然に腰椎が後彎する座位姿勢（腰椎後彎姿勢）となる。
【００５３】
そして、同図（ｄ）に示すように、同図（ａ）の自然着座時の姿勢又は同図（ｃ）の腰椎後彎姿勢から、背板１６に背中をあずけたまま背すじを矢印５００方向に伸ばした場合には、この背すじ伸ばし動作に伴う骨盤ｐの前方回転によって座板２２はその彎曲面が彎曲凹部１２ｃの端部領域に乗り上げようとしつつ中央領域方向である後方（矢印６００方向）に滑り移動する。同時に、矢印７００方向に揺動して前傾し、自然に腰椎が前彎する座位姿勢となる。
【００５４】
このように、上記構成を有する椅子１０によれば、着座者の上体の姿勢変化に伴って座板２２に伝達された荷重の移動により、座板２２の前後方向への揺動、及びこの揺動に伴って座板２２が彎曲凹部１２ｃにおける端部領域の彎曲形状部（立上がり領域）に乗り上げようとしつつ中央領域方向へと滑り移動する。
【００５５】
すなわち、座板２２の揺動と滑り移動の組み合わせにより、板材２４（彎曲凸部）の彎曲面と彎曲凹部１２ｃ（座板支持部）の当接部位においてあたかも膝関節のようなすり合わせを生じつつ、スムーズな座板２２の前傾又は後傾動作がなされ、より自然に座位姿勢における長時間の同一姿勢が解消される。したがって、長時間の同一の座位姿勢が解消されると同時に、座板２２の揺動は前後方向に規制されているので、上体の姿勢変化に伴う筋肉への負荷も最小限度に抑えられており、長時間の使用にも苦にならない椅子となっている。
【００５６】
そのうえ、彎曲線部２４ａのさらに後方は、彎曲線部２４ａの後端位置（すなわち、位置Ｐ２）からその位置の接線方向に伸長するほぼ直線状の平坦線部２４ｂ（曲率半径３０５２ｍｍ）となっているので、例えば、着座者が上体を大きく後方へ反らし、座板２２の後側に過剰に荷重がかかった場合であっても、断面線が平坦線部２４ｂとして表されるほぼ平坦な面によって座板２２のさらに後方への揺動が係止され、彎曲線部２４ａの範囲を越えた座板２２の過剰な後傾が抑制される。よって、座板２２が過剰に後傾することによる窮屈な座位姿勢が防止されるという、着座者の大きな姿勢変化による不具合が解消された椅子となっている。
【００５７】
また、彎曲凹部１２ｃ（座板支持部）の前後方向の端部領域は、それぞれの端部に向かって高さが上昇する彎曲形状部（立上がり領域）となっているので、座板２２の揺動に伴って座板２２が前後方向（矢印６００方向、及びその反対方向）へと過剰に移動する前に、板材２４の彎曲線部２４ａで表わされる部分が彎曲凹部１２ｃにおける端部側の彎曲形状部（立上がり領域）に乗り上げ、座板２２の過剰な前後方向への移動が抑制される。
【００５８】
これにより、前後方向に過剰に移動した座板２２が座板支持部である彎曲凹部１２ｃから逸脱することが抑制され、着座者の大きな姿勢変化による不具合がより解消されることとなる。
【００５９】
さらに、彎曲凹部１２ｃは、断面視略ロ字状の座枠１２を構成する、前後方向にそれぞれ伸長する２本の板材である枠板１２ｂ、１２ｂの上面であり、彎曲凸部は、座板２２の下部面の幅方向それぞれの端部に取付けられた、前後方向に延在する２つの板材２４により構成されている。
【００６０】
よって、座板２２が受けた着座者の荷重は、一方の細幅な枠板１２ｂの上面と一方の細幅な板材２４における彎曲線部２４ａの部分との当接部分、及び他方の細幅な枠板１２ｂの上面と他方の細幅な板材２４における彎曲線部２４ａの部分との当接部分により、いわば２点支持された状態となるので、摩擦抵抗がより少なくなり、且つ、その２箇所に荷重が集中する。
【００６１】
これにより、板材２４（彎曲凸部）の彎曲面が彎曲凹部１２ｃ（座板支持部）に対して前後方向へとさらに滑り移動するようになり、上体の前後方向への移動及び姿勢変化に伴う腰椎の前彎−後彎運動がさらに促進され、さらに自然に座位姿勢による長時間の同一姿勢が解消される。
【００６２】
そのうえ、このように、彎曲凸部及び座板支持部を構成する部材を、細幅な板材により構成しているので、そのための材料の使用量が削減されており、椅子全体の構成の簡素化、軽量化を図ることができる。
【００６３】
なお、板材２４（彎曲凸部）の彎曲面及び／又は枠板１２ｂの彎曲凹部１２ｃ（座板支持部）には、所望の摩擦軽減手段を用いることができる。これにより、板材２４における彎曲面（断面線が彎曲線部２４ａ及び曲線部２４ｂで表わされる部分）の彎曲凹部１２ｃに対する摩擦が軽減され、座板２２の揺動に伴って座板２２が彎曲凹部１２ｃに対してより滑り移動するようになり、よってさらに座板２２の前後方向の傾動が促され、さらに自然に長時間の同一姿勢が解消されるからである。
【００６４】
この摩擦軽減手段を施すことは、例えば、周知のグリースや滑石等の潤滑剤（減摩材）を板材２４（彎曲凸部）の彎曲面及び／又は枠板１２ｂの彎曲凹部１２ｃに塗布すること、又は板材２４（彎曲凸部）の彎曲面及び／又は枠板１２ｂの彎曲凹部１２ｃにフッ素樹脂等の表層を形成することによりなされる。
【００６５】
次に、本発明に係る第２実施の形態について、図５に基づいて以下に説明する。第１実施の形態では、椅子１０の座板支持部を彎曲凹部１２ｃとした場合について説明したが、第２実施の形態では、椅子３０の座板支持部を、断面略矩形の細長い枠板の平坦な上面とした場合について説明する。
【００６６】
図５は、本発明の第２実施の形態に係る椅子３０の分解斜視図である。尚、上記実施の形態と同様の構成要素には、同一の符号を付することでその詳細な説明を省略する。
【００６７】
上述の通り、椅子３０は、椅子１０とは異なり、幅方向に架け渡された枠板１２ａ、１２ａ間に前後方向に架け渡された枠板３２ａ、３２ａが、その上側から削り取られておらず、略矩形の長板として構成されていることを特徴とする。したがって、枠板３２ａ、３２ａの平坦な上面３２ｂ、３２ｂが、それぞれ座板支持部となる。
【００６８】
本実施の形態に係る椅子３０の椅子の使用状態について以下に説明する。まず、自然着座時において、板材２４（彎曲凸部）の頂点位置Ｐ０が枠板３２ａの平坦な上面３２ｂ（座板支持部）に当接している。この状態から、着座者が上体を前傾させると、座板２２の前側に荷重がかかり、したがって座板２２は、彎曲線部２４ａで表わされる前側部分が上面３２ｂに接するように前方に揺動して前傾し、自然に腰椎が前彎する座位姿勢となる。
【００６９】
また、自然着座時から上体を後傾させ、背板１６に背中をあずけて腹部や腰背部の筋肉を休ませる場合には、上体の後傾及び骨盤の後方回転によって座板２２の後側に荷重がかかる。したがって、座板２２は彎曲線部２４ａにおける後側部分が枠板３２ａの上面３２ｂ（座板支持部）に接するように後方に揺動して後傾し、自然に腰椎が後彎する座位姿勢（腰椎後彎姿勢）となる。
【００７０】
そして、この腰椎後彎姿勢から、又は自然着座時の姿勢から、背板１６に背中をあずけたまま背すじを上方に伸ばした場合には、この背すじ伸ばし動作に伴う骨盤の前方回転によって座板２２は上面３２ｂ上を前方に揺動して前傾し、自然に腰椎が前彎する座位姿勢となる。
【００７１】
このように、上記構成を有する椅子３０によれば、着座者の上体の姿勢変化に伴って座板２２に伝達された荷重の移動により、座板２２がスムーズに前傾又は後傾するので、自然な座位姿勢の変化がもたらされる。したがって、長時間の同一の座位姿勢が解消されると同時に、座板２２の揺動は前後方向に規制されているので、上体の姿勢変化に伴う筋肉への負荷も最小限度に抑えられており、長時間の使用にも苦にならない椅子となっている。
【００７２】
そのうえ、彎曲線部２４ａのさらに後方は断面線がほぼ直線状の平坦線部２４ｂ（曲率半径３０５２ｍｍ）として表されるほぼ平坦な面となっており、且つこの曲線は彎曲線部２４ａの後端部における接線方向に延在しているので、座板２２の後側に過剰に荷重がかかった場合であっても、この平坦面によって座板２２のさらに後方への揺動が係止され、彎曲線部２４ａの範囲を越えた座板２２の過剰な後傾、すなわち、傾斜角度が１５°を越えることが防止される。よって、座板２２が過剰に後傾することによる窮屈な座位姿勢になるという、着座者の大きな姿勢変化による不具合が解消された椅子となっている。
【００７３】
さらに、本実施の形態においては、座板２２の下部面に設けられた二つの板材２４、２４が彎曲凸部を構成し、枠板３２ａ、３２ａの上面３２ｂ、３２ｂがそれぞれ座板支持部となる構成として例示したが、これに限定されるものではなく、種々の変形の適用が可能である。
【００７４】
以下に、その変形例を図６に基づいて説明する。同図において上述の図５に示した第２実施の形態と同様の要素には、同一の符号を付しその説明を省略する。図６は、彎曲凸部と座板支持部の別の態様を示す図である。図示のように、変形例に係る椅子５０は、第２実施の形態に係る椅子３０とは異なり、幅方向に架け渡された枠板１２ａ、１２ａ間に、前後方向に延在する略矩形の底板５２が架け渡されている。この底板５２は、前脚１４、１４、及び後脚１４、１４に囲まれた領域をほぼ覆う面積を有する。
【００７５】
そして、前記座板２２における彎曲凸部は、前記板材２４と同じ断面形状（すなわち、板材２４の彎曲線部２４ａと同じ形状の彎曲線部５４ａ、及びほぼ直線状の平坦線部２４ｂと同じ形状の平坦線部５４ｂ）を有し、前記座板２２の下部面に取り付けられ、その幅方向ほぼ全域に延在する幅を有する凸ブロック５４として構成されている。
【００７６】
したがって、本変形例に係る椅子５０によっても、上記第２実施の形態同様、自然着座時の座位姿勢から、上体の前傾又は背すじ伸ばし動作によって座板２２を前方へ揺動させて前傾させ、自然に腰椎が前彎する座位姿勢へと変化させることができる。
【００７７】
また、自然着座時の座位姿勢から、背板１６に背中をあずけて腹部や腰背部の筋肉を休ませる場合には、上体の後傾又は骨盤の後方回転によって座板２２を後方へ揺動させて後傾させ、自然に腰椎が後彎する座位姿勢へと変化させることができる。
【００７８】
本発明は上記実施の形態に限定されることはなく、発明の趣旨を逸脱しない範囲で種々変更可能である。例えば、彎曲凸部は、座板２２の下部面に取り付けられる板材２４や凸ブロック５４に限られない。すなわち、座板は、座板の下部面自体が彎曲凸部となる一体成形された座板としても良い。この構成によれば、板材２４や凸ブロック５４を座板２２に結合させる工程を省略することができる。
【００７９】
また、板材２４（彎曲凸部）のほぼ直線状の平坦線部２４ｂは、彎曲線部２４ａの後端部における接線方向に延在しているが、この態様に限られるものではない。断面線が平坦線部２４ｂとして表される部分（ほぼ平坦な部分）と座板支持部が当接することにより、座板２２のさらなる後傾が制止される作用が発揮されるのであれば、上記ほぼ直線状の平坦線部は、接線方向以外の方向へと延在していてもよい。
【符号の説明】
【００８０】
１０、３０、５０  椅子
１２ｂ  枠板（板材）
１２ｃ  彎曲凹部（座板支持部）
２２  座板
２４  板材（彎曲凸部）
２４ａ  彎曲線部
２４ｂ  平坦線部
３２ｂ  上面（座板支持部）
５２  底板（座板支持部）
【図１】
0005635573.tif 000002
【図２】
0005635573.tif 000003
【図３】
0005635573.tif 000004
【図４】
0005635573.tif 000005
【図５】
0005635573.tif 000006
【図６】
0005635573.tif 000007
【図７】
0005635573.tif 000008